(57)【要約】【課題】  ２軸のヒンジ機構によって本体ケースと蓋体ケースを連結した折り畳み式電子機器において、本体ケースを構成する内面側ケース半体13と背面側ケース半体12に無理な力が作用したとしても、両ケース半体の係合が外れることのない折り畳み式電子機器を提供する。【解決手段】  本発明に係る折り畳み式電子機器においては、本体ケースを構成する内面側ケース半体13にヒンジ機構３が取り付けられると共に、内面側ケース半体13と背面側ケース半体12の間に回路基板５が挟持されている。回路基板５の背面に連結フレーム６が設置され、該連結フレーム６と背面側ケース半体12の垂直壁部12aとがビス７によって互いに締結されると共に、内面側ケース半体13と背面側ケース半体12とが回路基板５及び連結フレーム６と共にビス71によって互いに締結されている。【選択図】      図５
2006050468.tif 000002
【特許請求の範囲】
【請求項１】
本体ケース(１)の端部に第１ヒンジ機構(３)及び第２ヒンジ機構(４)を介して蓋体ケース(２)が連結され、第１ヒンジ機構(３)は、両ケース(１)(２)を開閉させるための枢軸を有する一方、第２ヒンジ機構(４)は、本体ケース(１)に対して蓋体ケース(２)を開いた状態で回転させるべく前記枢軸と直交する枢軸を有し、本体ケース(１)は、内面側ケース半体(13)と背面側ケース半体(12)を互いに接合して構成され、内面側ケース半体(13)に第１ヒンジ機構(３)が取り付けられると共に、内面側ケース半体(13)と背面側ケース半体(12)の間に回路基板(５)が挟持され、該回路基板(５)の端部が背面側ケース半体(12)の第１ヒンジ機構(３)側の垂直壁部(12a)の近傍位置まで伸びている折り畳み式電子機器において、前記回路基板(５)に連結フレーム(６)が設置され、該連結フレーム(６)と前記背面側ケース半体(12)の垂直壁部(12a)とがビス(７)によって互いに締結されると共に、内面側ケース半体(13)と背面側ケース半体(12)とが回路基板(５)及び連結フレーム(６)と共にビス(71)によって互いに締結されていることを特徴とする折り畳み式電子機器。
【請求項２】
前記連結フレーム(６)の端部には、前記背面側ケース半体(12)の垂直壁部(12a)側の端縁に、回路基板(５)の端部を拘持する把持部(63)が突設されている請求項１に記載の折り畳み式電子機器。
【請求項３】
第１ヒンジ機構(３)の枢軸(31)には、該枢軸(31)と一体に金属製のブラケット(32)が突設され、該ブラケット(32)は回路基板(５)の表面に設置され、該ブラケット(32)と回路基板(５)が、内面側ケース半体(13)と連結フレーム(６)の間に挟持され、内面側ケース半体(13)と連結フレーム(６)とがブラケット(32)及び回路基板(５)と共にビス(72)によって互いに締結されている請求項１又は請求項２に記載の折り畳み式電子機器。
【発明の詳細な説明】
【技術分野】
【０００１】
本発明は、折り畳み式携帯電話機の如く、本体ケースの端部にヒンジ機構を介して蓋体ケースを連結してなる折り畳み式電子機器に関するものである。
【背景技術】
【０００２】
図１及び図２は、出願人の提案に係る折り畳み式携帯電話機を表わしており、該折り畳み式携帯電話機は、複数の操作キー(11)が配備された本体ケース(１)と、液晶ディスプレイ(21)が配備された蓋体ケース(２)とを具え、本体ケース(１)の上端部と蓋体ケース(２)の下端部との間には、第１ヒンジ機構(３)及び第２ヒンジ機構(４)が介在している。第１ヒンジ機構(３)は、両ケース(１)(２)を互いに開閉可能に連結するものであり、第２ヒンジ機構(４)は、第１ヒンジ機構(３)の枢軸に直交する枢軸を有して、本体ケース(１)に対して蓋体ケース(２)を開いた状態で回転可能に支持するものである。
【０００３】
上記の如き折り畳み式携帯電話機においては、従来より、本体ケースや蓋体ケースはそれぞれ一対のケース半体を互いに接合して構成され、本体ケースを構成する一対のケース半体の間には、液晶ディスプレイ等を駆動するための回路基板が挟持され、一対のケース半体が回路基板と共にビスによって互いに締結されている(特許文献１、２参照)。
【特許文献１】特開２００２−３２８７５０号公報［G06F1/16］
【特許文献２】特開２００４−２１４４４３号公報［H05K9/00］
【発明の開示】
【発明が解決しようとする課題】
【０００４】
しかしながら、図１及び図２に示す如き２軸のヒンジ機構(３)(４)を有する折り畳み式携帯電話機においては、図２に示す如く本体ケース(１)に対して蓋体ケース(２)を開き、更に該蓋体ケース(２)を９０度回転させた状態で、該蓋体ケース(２)を鎖線で示す如く本体ケース(１)側へ倒す操作が行なわれる虞があり、これによって、蓋体ケース(２)から第２ヒンジ機構(４)を経て第１ヒンジ機構(３)に上向きの過大な力が作用する。
この結果、本体ケース(１)を構成する内面側ケース半体(13)の第１ヒンジ機構(３)側の端部が、背面側ケース半体(12)から引き離される方向に無理な力を受けることになり、場合によっては両ケース半体(13)(12)を互いに接合しているフック等の係合が外れる問題が生じる。
【０００５】
この問題を解決するには、第１ヒンジ機構(３)側の端部位置で、両ケース半体(13)(12)を回路基板と共にビスによって互いに締結すればよいが、この場合、ビスを回路基板に対して垂直の姿勢で一方のケース半体から他方のケース半体へねじ込む締結構造となるので、第１ヒンジ機構(３)が設置されている本体ケース(１)の端部にこの様な締結構造を配備することは設計上困難であり、本体ケース(１)の厚型化を招くこととなる。
【０００６】
そこで本発明の目的は、２軸のヒンジ機構によって本体ケースと蓋体ケースを連結した折り畳み式電子機器において、本体ケースを構成する一対のケース半体に対してヒンジ機構から無理な力が作用したとしても、両ケース半体の係合が外れることがなく、然も本体ケースの厚型化を招くことのない、折り畳み式電子機器を提供することである。
【課題を解決するための手段】
【０００７】
本発明に係る折り畳み式電子機器においては、本体ケース(１)の端部に第１ヒンジ機構(３)及び第２ヒンジ機構(４)を介して蓋体ケース(２)が連結され、第１ヒンジ機構(３)は、両ケース(１)(２)を開閉させるための枢軸を有する一方、第２ヒンジ機構(４)は、本体ケース(１)に対して蓋体ケース(２)を開いた状態で回転させるべく前記枢軸と直交する枢軸を有している。
本体ケース(１)は、内面側ケース半体(13)と背面側ケース半体(12)を互いに接合して構成され、内面側ケース半体(13)に第１ヒンジ機構(３)が取り付けられると共に、内面側ケース半体(13)と背面側ケース半体(12)の間に回路基板(５)が挟持され、該回路基板(５)の端部が背面側ケース半体(12)の第１ヒンジ機構(３)側の垂直壁部(12a)の近傍位置まで伸びている。
前記回路基板(５)には、連結フレーム(６)が設置され、該連結フレーム(６)と前記背面側ケース半体(12)の垂直壁部(12a)とがビス(７)によって互いに締結されると共に、内面側ケース半体(13)と背面側ケース半体(12)とが回路基板(５)及び連結フレーム(６)と共にビス(71)によって互いに締結されている。
【０００８】
上記本発明の折り畳み式電子機器においては、第１ヒンジ機構(３)よりも背面側ケース半体(12)の垂直壁部(12a)側の位置では、連結フレーム(６)と背面側ケース半体(12)の垂直壁部(12a)とがビス(７)によって互いに締結されると共に、第１ヒンジ機構(３)を挟んで反対側の位置では、内面側ケース半体(13)と背面側ケース半体(12)とが回路基板(５)及び連結フレーム(６)と共にビス(71)によって互いに締結されているので、第１ヒンジ機構(３)に外力が作用して、内面側ケース半体(13)の端部を背面側ケース半体(12)から引き離す方向に無理な力が加わったとしても、連結フレーム(６)が内面側ケース半体(13)と背面側ケース半体(12)を強固に連結し、これによって、内面側ケース半体(13)が背面側ケース半体(12)から引き離されて両ケース半体の係合が外れることはない。
【０００９】
ここで、連結フレーム(６)と背面側ケース半体(12)の垂直壁部(12a)とを締結するビス(７)は、背面側ケース半体(12)の垂直壁部(12a)に対して垂直方向、即ち回路基板(５)と平行な方向にねじ込まれているので、該締結構造が本体ケース(１)の厚型化を招くことはない。
尚、内面側ケース半体(13)と背面側ケース半体(12)とを締結するビス(71)は、回路基板(５)と垂直な方向にねじ込まれているが、該締結構造は前記締結構造よりも第１ヒンジ機構(３)から離れた位置に配備されているので、本体ケース(１)の厚型化を招くことはない。
【００１０】
具体的構成において、前記連結フレーム(６)の端部には、前記背面側ケース半体(12)の垂直壁部(12a)側の端縁に、回路基板(５)の端部を拘持する把持部(63)が突設されている。
該具体的構成によれば、第１ヒンジ機構(３)に外力が作用して、回路基板(５)の端部を連結フレーム(６)から引き離す方向に無理な力が作用したとしても、回路基板(５)の端部と連結フレーム(６)とは把持部(63)によって互いに離間不能に連結されているので、回路基板(５)の端部が連結フレーム(６)から引き離されることはない。
【００１１】
更に具体的な構成において、第１ヒンジ機構(３)の枢軸(31)には、該枢軸(31)と一体に金属製のブラケット(32)が突設され、該ブラケット(32)は回路基板(５)の表面に設置され、該ブラケット(32)と回路基板(５)が、内面側ケース半体(13)と連結フレーム(６)の間に挟持され、内面側ケース半体(13)と連結フレーム(６)とがブラケット(32)及び回路基板(５)と共にビス(72)によって互いに締結されている。
該具体的構成によれば、第１ヒンジ機構(３)に外力が作用して、内面側ケース半体(13)を回路基板(５)から引き離す方向に無理な力が加わったとしても、第１ヒンジ機構(３)のブラケット(32)が大きな強度を有しているので、ブラケット(32)が変形することはなく、これによって、内面側ケース半体(13)が回路基板(５)から離間することはない。
【発明の効果】
【００１２】
本発明に係る折り畳み式電子機器によれば、本体ケースを構成する一対のケース半体に対してヒンジ機構から無理な力が作用したとしても、両ケース半体の係合が外れることはなく、然も本体ケースの厚型化を招くこともない。
【発明を実施するための最良の形態】
【００１３】
以下、本発明を折り畳み式携帯電話機に実施した形態につき、図面に沿って具体的に説明する。
本発明に係る折り畳み式携帯電話機は、図１及び図２に示す如く、複数の操作キー(11)が配備された本体ケース(１)と、液晶ディスプレイ(21)が配備された蓋体ケース(２)とを具え、本体ケース(１)の上端部と蓋体ケース(２)の下端部との間には、両ケース(１)(２)を開閉させるための第１ヒンジ機構(３)と、本体ケース(１)に対して蓋体ケース(２)を回転させるため第２ヒンジ機構(４)とが配備され、両ヒンジ機構(３)(４)によって本体ケース(１)と蓋体ケース(２)が互いに連結されている。第１ヒンジ機構(３)及び第２ヒンジ機構(４)はそれぞれカバー(30)(40)によって覆われている。
【００１４】
尚、本発明に係る携帯電話機を構成する各部材に関する方向の記述においては、本体ケース(１)が水平面上に設置された状態を基準として、「上」「下」「水平」及び水平面に直交する「垂直」なる語句を用いることとする。
【００１５】
図３及び図４に示す如く、第１ヒンジ機構(３)は、蓋体ケース(２)の開閉に伴って回転する水平の枢軸(31)を具え、該枢軸(31)の一方の端部には、フレキシブルリードシート(50)が渦巻き状に巻回され、該フレキシブルリードシート(50)の一端が、前記第２ヒンジ機構(４)の内部を通過して、蓋体ケース(２)に配備された前記液晶ディスプレイに接続されると共に、該フレキシブルリードシート(50)の他端が本体ケース(１)内の回路基板(図示省略)に接続されている。
これによって、液晶ディスプレイ(21)が駆動されて、画像表示が行なわれる。
【００１６】
本体ケース(１)は、図７〜図９に示す如く、内面側ケース半体(13)と背面側ケース半体(12)を互いに接合して構成され、内面側ケース半体(13)と背面側ケース半体(12)の間に回路基板(５)が挟持されている。
内面側ケース半体(13)と背面側ケース半体(12)には、図５の如く第１ヒンジ機構(３)側の端縁に、一対のフック(14)(15)が突設されて、両フック(14)(15)が互いに係合しており、この様な係合構造が複数箇所に設けられ、これによって両ケース半体(13)(12)が互いに係合している。
【００１７】
図７及び図９に示す如く、第１ヒンジ機構(３)は、枢軸(31)に一体に突設された金属製のブラケット(32)を具え、該ブラケット(32)が回路基板(５)上に設置される。
内面側ケース半体(13)と背面側ケース半体(12)とは、回路基板(５)及び第１ヒンジ機構(３)のブラケット(32)と共に、連結フレーム(６)と複数本のビス(７)(71)(72)を用いた後述の３つの締結構造によって互いに締結される。
【００１８】
連結フレーム(６)は高強度の合成樹脂を用いた一体成型品であって、図１０〜図１２に示す様に、水平方向に伸びる第１アーム部(61)と、該第１アーム部(61)の両端部に水平方向に突設された２本の平行な第２アーム部(62)(62)とから構成され、第１アーム部(61)には、前記回路基板(５)の端部を拘持する２つの把持部(63)が突設されている。又、第１アーム部(61)の両端部には、２つのネジ孔(64)(64)が水平方向に開設されると共に、各第２アーム部(62)には、２つの貫通孔(65)(66)が垂直方向に開設されている。
【００１９】
図５及び図６に示す如く、回路基板(５)の背面に連結フレーム(６)が設置されて、連結フレーム(６)の把持部(63)が回路基板(５)の端部に係合している。
そして、図５の如く、背面側ケース半体(12)の垂直壁部(12a)の近傍では、連結フレーム(６)と背面側ケース半体(12)の垂直壁部(12a)とが２本のビス(７)によって互いに締結されている(第１の締結構造)。
又、第１ヒンジ機構(３)を挟んで前記第１の締結構造とは反対側の領域においては、内面側ケース半体(13)と背面側ケース半体(12)とが、第１ヒンジ機構(３)のブラケット(32)、回路基板(５)及び連結フレーム(６)と共に、２本のビス(71)によって互いに締結されている(第２の締結構造)。
更に、前記第１の締結構造と第２の締結構造の間においては、内面側ケース半体(13)と連結フレーム(６)とが、第１ヒンジ機構(３)のブラケット(32)及び回路基板(５)と共に、２本のビス(72)によって互いに締結されている(第３の締結構造)。
【００２０】
前記第１〜第３の締結構造を図９に基づいて更に具体的に説明する。
第１の締結構造においては、ビス(７)のねじ部が、背面側ケース半体(12)の外側から、垂直壁部(12a)に開設した貫通孔(17)を水平に貫通して、連結フレーム(６)の第１アーム部(61)に開設したネジ孔(64)にねじ込まれる。
又、第２の締結構造においては、ビス(71)のねじ部が、内面側ケース半体(13)の上方から、内面側ケース半体(13)に開設した貫通孔(18)と、第１ヒンジ機構(３)のブラケット(32)に開設した貫通孔(33)と、回路基板(５)に開設した貫通孔(51)と、連結フレーム(６)の第２アーム部(62)に開設した貫通孔(65)とを垂直に貫通して、背面側ケース半体(12)に開設したネジ孔(16)にねじ込まれる。
更に、第３の締結構造においては、ビス(72)のねじ部が、回路基板(５)の下方から、連結フレーム(６)の第２アーム部(62)に開設した貫通孔(66)と、回路基板(５)に開設した貫通孔(52)と、第１ヒンジ機構(３)のブラケット(32)に開設した貫通孔(34)とを垂直に貫通して、内面側ケース半体(13)に開設されたネジ孔(19)にねじ込まれる。
【００２１】
図５の如く、ビス(７)を水平方向にねじ込んだ第１の締結構造は、背面側ケース半体(12)の垂直壁部(12a)に設けられているので、第１ヒンジ機構(３)に外力が作用して、内面側ケース半体(13)の端部を背面側ケース半体(12)から引き離す方向に無理な力が作用したとしても、その力は、背面側ケース半体(12)に固定された連結フレーム(６)によって受け止められる。
又、回路基板(５)の端部と連結フレーム(６)とは把持部(63)によって互いに離間不能に連結されているので、回路基板(５)の端部が連結フレーム(６)から離間することはない。
ここで、ビス(７)は、背面側ケース半体(12)の垂直壁部(12a)に対して垂直方向、即ち回路基板(５)と平行な方向にねじ込まれているので、該締結構造が本体ケース(１)の厚型化を招くことはない。
【００２２】
ビス(71)を上方から垂直方向にねじ込んだ第２の締結構造においては、第１ヒンジ機構(３)を挟んで背面側ケース半体(12)の垂直壁部(12a)とは反対側の位置で、内面側ケース半体(13)と背面側ケース半体(12)とが互いに締結され、両ケース半体(13)(12)の間に、第１ヒンジ機構(３)のブラケット(32)、回路基板(５)及び連結フレーム(６)が挟持されているので、この部分に大きな力が作用したとしても、背面側ケース半体(12)と内面側ケース半体(13)が互いに離間することはない。
ここで、ビス(71)は、回路基板(５)と垂直な方向にねじ込まれているが、該締結構造は第１ヒンジ機構(３)から離れた位置に配備されているので、本体ケース(１)の厚型化を招くことはない。
【００２３】
更に、ビス(72)を下方から垂直方向にねじ込んだ第３の締結構造においては、内面側ケース半体(13)と連結フレーム(６)とが互いに締結され、内面側ケース半体(13)と連結フレーム(６)の間に、第１ヒンジ機構(３)のブラケット(32)と回路基板(５)が挟持されており、ブラケット(32)が大きな連結強度を発揮するので、この部分に大きな力が作用したとして、内面側ケース半体(13)と連結フレーム(６)が互いに離間することはない。
【００２４】
本発明の折り畳み式携帯電話機においては、上述の如く３つの締結構造によって内面側ケース半体(13)と背面側ケース半体(12)とを第１ヒンジ機構(３)の近傍位置で強固に締結しているので、第１ヒンジ機構(３)に大きな外力が作用したとしても、背面側ケース半体(12)から内面側ケース半体(13)が引き離されてフック(14)(15)どうしの係合が外れることはない。
【図面の簡単な説明】
【００２５】
【図１】本発明に係る折り畳み式携帯電話機の開いた状態を示す斜視図である。
【図２】該折り畳み式携帯電話機において蓋体ケースを回転させた状態を示す斜視図である。
【図３】第１ヒンジ機構の内部構造を示す一部破断斜視図である。
【図４】図３のＡ部を拡大して示す斜視図である。
【図５】該折り畳み式携帯電話機に配備されている３つの締結構造を示す断面図である。
【図６】図５のＢ部を拡大して示す断面図である。
【図７】本体ケースの分解斜視図である。
【図８】本体ケースの分解側面図である。
【図９】３つの締結構造の分解断面図である。
【図１０】連結フレームの斜視図である。
【図１１】該連結フレームを異なる方向から見た斜視図である。
【図１２】該連結フレームの裏面図である。
【符号の説明】
【００２６】
(１)  本体ケース
(12)  背面側ケース半体
(12a) 垂直壁部
(13)  内面側ケース半体
(14)  フック
(15)  フック
(２)  蓋体ケース
(３)  第１ヒンジ機構
(31)  枢軸
(32)  ブラケット
(４)  第２ヒンジ機構
(５)  回路基板
(６)  連結フレーム
(63)  把持部
(７)  ビス
(71)  ビス
(72)  ビス
【図１】
2006050468.tif 000003
【図２】
2006050468.tif 000004
【図３】
2006050468.tif 000005
【図４】
2006050468.tif 000006
【図５】
2006050468.tif 000007
【図６】
2006050468.tif 000008
【図７】
2006050468.tif 000009
【図８】
2006050468.tif 000010
【図９】
2006050468.tif 000011
【図１０】
2006050468.tif 000012
【図１１】
2006050468.tif 000013
【図１２】
2006050468.tif 000014